(57)【特許請求の範囲】
【請求項１】
入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、
ユーザによる指示に応答して、前記レート変換手段より出力された画像信号の動画フレームあるいはフィールドから静止画フレームあるいはフィールドを取り込む静止画取込手段と、
該静止画取込手段により取り込まれた静止画フレームあるいはフィールドを、前記動画フレームあるいはフィールドに対して切替或いは合成して出力する切替／合成手段とを備え、
前記静止画取込手段は、前記静止画フレームあるいはフィールドとして、前記レート変換手段により生成された内挿フレームあるいは内挿フィールドを取り込むことを禁止することを特徴とする画像表示装置。
【請求項２】
入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、
ユーザによる指示に応答して、前記入力画像信号の動画フレームあるいはフィールドから静止画フレームあるいはフィールドを取り込む静止画取込手段と、
該静止画取込手段により取り込まれた静止画フレームあるいはフィールドを、前記動画フレームあるいはフィールドに対して切替或いは合成して出力する切替／合成手段とを、前記レート変換手段の前段に備え、
前記静止画取込手段により取り込まれた静止画フレームあるいはフィールドが、前記動画フレームあるいはフィールドに対して切替或いは合成された場合、全画面領域に対して、前記レート変換手段における動き補償処理を無効化することを特徴とする画像表示装置。
【請求項３】
前記請求項２に記載の画像表示装置において、
前記レート変換手段は、前記入力画像信号に含まれる連続したフレーム間あるいはフィールド間で動きベクトル情報を検出する動きベクトル検出部と、
該検出した動きベクトル情報に基づいて、前記フレーム間あるいは前記フィールド間に内挿ベクトルを割り付ける内挿ベクトル割付部と、
該割り付けた内挿ベクトルから内挿画像信号を生成する内挿画像生成部と、
該生成した内挿画像信号を前記フレーム間あるいは前記フィールド間に内挿する画像内挿部とを有することを特徴とする画像表示装置。
【請求項４】
前記請求項３に記載の画像表示装置において、
前記静止画取込手段により取り込まれた静止画フレームあるいはフィールドが、動画フレームあるいはフィールドに対して切替或いは合成された場合、前記動きベクトル検出部で検出された動きベクトルを０ベクトルにすることにより、前記動き補償処理を無効化することを特徴とする画像表示装置。
【請求項５】
前記請求項３に記載の画像表示装置において、
前記静止画取込手段により取り込まれた静止画フレームあるいはフィールドが、動画フレームあるいはフィールドに対して切替或いは合成された場合、前記内挿ベクトル割付部で割り付けた内挿ベクトルを０ベクトルにすることにより、前記動き補償処理を無効化することを特徴とする画像表示装置。
【請求項６】
入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、
ユーザによる指示に応答して、前記入力画像信号の動画フレームあるいはフィールドから静止画フレームあるいはフィールドを取り込む静止画取込手段と、
該静止画取込手段により取り込まれた静止画フレームあるいはフィールドを、前記動画フレームあるいはフィールドに対して切替或いは合成して出力する切替／合成手段とを、前記レート変換手段の前段に備え、
前記入力画像信号のフレーム間あるいはフィールド間に、動き補償処理を施していない画像信号を挿入することにより、前記入力画像信号のフレーム数あるいはフィールド数を変換する他のレート変換手段を更に備え、
前記静止画取込手段により取り込まれた静止画フレームあるいはフィールドが、動画フレームあるいはフィールドに対して切替或いは合成された場合、全画面領域に対して、前記他のレート変換手段によりフレーム数あるいはフィールド数が変換された画像信号を、前記表示パネルへ出力することを特徴とする画像表示装置。
【請求項７】
前記請求項６に記載の画像表示装置において、
前記他のレート変換手段は、前記入力画像信号のフレーム間あるいはフィールド間に、線形補間処理を施した画像信号を内挿することにより、前記入力画像信号のフレーム数あるいはフィールド数を変換するものであることを特徴とする画像表示装置。
【請求項８】
入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、
ユーザによる指示に応答して、前記入力画像信号の動画フレームあるいはフィールドから静止画フレームあるいはフィールドを取り込む静止画取込手段と、
該静止画取込手段により取り込まれた静止画フレームあるいはフィールドを、前記動画フレームあるいはフィールドに対して切替或いは合成して出力する切替／合成手段とを、前記レート変換手段の前段に備え、
前記静止画取込手段により取り込まれた静止画フレームあるいはフィールドが、動画フレームあるいはフィールドに対して切替或いは合成された場合、前記入力画像信号のフレーム数あるいはフィールド数を変換せずに、該入力画像信号を前記表示パネルへ出力することを特徴とする画像表示装置。
【請求項９】
入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、
ユーザによる指示に応答して、前記入力画像信号の動画フレームあるいはフィールドから静止画フレームあるいはフィールドを取り込む静止画取込手段を、前記レート変換手段の前段に備え、
該静止画取込手段により取り込まれた静止画フレームあるいはフィールドを高速で読み出し、前記レート変換手段により出力された動画フレームあるいはフィールドに対して切替或いは合成して出力する切替／合成手段を、前記レート変換手段の後段に備えたことを特徴とする画像表示装置。
【請求項１０】
入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、
ユーザによる指示に応答して、前記レート変換手段より出力された動画フレームあるいはフィールドから静止画フレームあるいはフィールドを取り込む静止画取込手段と、
該静止画取込手段により取り込まれた静止画フレームあるいはフィールドを、前記動画フレームあるいはフィールドに対して切替或いは合成して出力する切替／合成手段とを備え、
前記静止画取込手段は、前記静止画フレームあるいはフィールドとして、必ず前記入力画像信号の原フレームあるいはフィールドを取り込むことを特徴とする画像表示装置。
【請求項１１】
前記請求項１乃至１０のいずれかに記載の画像表示装置において、
ユーザによる指示に応答して、前記静止画取込手段により取り込まれた静止画フレームあるいはフィールドを、記録媒体に記録する記録手段を備えたことを特徴とする画像表示装置。
【発明の詳細な説明】
【技術分野】
【０００１】
本発明は、フレームレートあるいはフィールドレートを変換する機能を備えた画像表示装置に関し、特に動画像を表示しながらユーザによる指示に応じて静止画を取り込み、この静止画を動画像に切り替えて或いは合成して表示したり、更にはこの静止画を記録媒体に記録することが可能な画像表示装置に関するものである。
【背景技術】
【０００２】
動画像を具現する用途に従来から主として用いられてきた陰極線管（ＣＲＴ：Ｃａｔｈｏｄｅ  Ｒａｙ  Ｔｕｂｅ）に対して、ＬＣＤ（Ｌｉｑｕｉｄ  Ｃｒｙｓｔａｌ  Ｄｉｓｐｌａｙ）は、動きのある画像を表示した場合に、観る者には動き部分の輪郭がぼけて知覚されてしまうという、所謂、動きぼけの欠点がある。この動きぼけは、ＬＣＤの表示方式そのものに起因することが指摘されている（例えば、特許文献１、非特許文献１参照）。
【０００３】
電子ビームを走査して蛍光体を発光させて表示を行うＣＲＴでは、各画素の発光は蛍光体の若干の残光はあるものの概ねインパルス状になる。これをインパルス型表示方式という。一方、ＬＣＤでは、液晶に電界を印加することにより蓄えられた電荷が、次に電界が印加されるまで比較的高い割合で保持される。特に、ＴＦＴ方式の場合、画素を構成するドット毎にＴＦＴスイッチが設けられており、さらに通常は各画素に補助容量が設けられており、蓄えられた電荷の保持能力が極めて高い。このため、画素が次のフレームあるいはフィールド（以下、フレームで代表する）の画像情報に基づく電界印加により書き換えられるまで発光し続ける。これをホールド型表示方式という。
【０００４】
上記のようなホールド型表示方式においては、画像表示光のインパルス応答が時間的な広がりを持つため、時間周波数特性が劣化して、それに伴い空間周波数特性も低下し、動きぼけが生じる。すなわち、人の視線は動くものに対して滑らかに追従するため、ホールド型のように発光時間が長いと、時間積分効果により画像の動きがぎくしゃくして不自然に見えてしまう。
【０００５】
上記のホールド型表示方式における動きぼけを改善するために、フレーム間に画像を内挿することにより、フレームレート（フレーム数）を変換する技術が知られている。この技術は、ＦＲＣ（Ｆｒａｍｅ  Ｒａｔｅ  Ｃｏｎｖｅｒｔｅｒ）と呼ばれ、液晶表示装置等において実用化されている。
【０００６】
従来、フレームレートを変換する方法には、単に同一フレームの複数回繰り返し読み出しや、フレーム間の直線内挿（線形補間）によるフレーム内挿などの各種の手法がある（例えば、非特許文献２参照）。しかしながら、線形補間によるフレーム内挿処理の場合、フレームレート変換に伴う動きの不自然さ（ジャーキネス、ジャダー）が発生するとともに、上述したホールド型表示方式に起因する動きぼけ妨害を十分に改善することはできず、画質的には不十分なものであった。
【０００７】
そこで、上記ジャーキネスの影響等をなくして動画質を改善するために、動きベクトルを用いた動き補償型のフレーム内挿（動き補正）処理が提案されている。この動き補正処理によれば、動画像そのものをとらえて補正するため、解像度の劣化がなく、また、ジャーキネスの発生もなく、極めて自然な動画を得ることができる。さらに、内挿画像信号は動き補償して形成されるので、上述したホールド型表示方式に起因する動きぼけ妨害を十分に改善することが可能となる。
【０００８】
前述の特許文献１には、動き適応的に内挿フレームを生成することにより、表示画像のフレーム周波数を上げて、動きぼけの原因となる空間周波数特性の低下を改善するための技術が開示されている。これは、表示画像のフレーム間に内挿する少なくとも１つの内挿画像信号を、前後のフレームから動き適応的に形成し、形成した内挿画像信号をフレーム間に内挿して順次表示するようにしている。
【０００９】
図８は、従来の液晶表示装置におけるＦＲＣ駆動表示回路の概略構成を示すブロック図で、図中、ＦＲＣ駆動表示回路は、入力画像信号のフレーム間に動き補正処理を施した画像信号を内挿することにより入力画像信号のフレーム数を変換するＦＲＣ部１００と、液晶層と該液晶層に走査信号及びデータ信号を印加するための電極とを有するアクティブマトリクス型の液晶表示パネル１０３と、ＦＲＣ部１００によりフレームレート変換された画像信号に基づいて液晶表示パネル１０３の走査電極及びデータ電極を駆動するための電極駆動部１０４と、を備えて構成される。
【００１０】
ＦＲＣ部１００は、入力画像信号から動きベクトル情報を検出する動きベクトル検出部１０１と、動きベクトル検出部１０１により得られた動きベクトル情報に基づいて内挿フレームを生成する内挿フレーム生成部１０２とを備える。
【００１１】
上記構成において、動きベクトル検出部１０１は、例えば、後述するブロックマッチング法や勾配法などを用いて動きベクトル情報を求めてもよいし、入力画像信号に何らかの形で動きベクトル情報が含まれている場合、これを利用してもよい。例えば、ＭＰＥＧ方式を用いて圧縮符号化された画像データには、符号化時に算出された動画像の動きベクトル情報が含まれており、この動きベクトル情報を取得する構成としてもよい。
【００１２】
図９は、図８に示した従来のＦＲＣ駆動表示回路によるフレームレート変換処理を説明するための図である。ＦＲＣ部１００は、動きベクトル検出部１０１より出力された動きベクトル情報を用いた動き補償により、フレーム間の内挿フレーム（図中グレーに色付けされた画像）を生成し、この生成された内挿フレーム信号を入力フレーム信号とともに、順次出力することで、入力画像信号のフレームレートを例えば毎秒６０フレーム（６０Ｈｚ）から毎秒１２０フレーム（１２０Ｈｚ）に変換する処理を行う。
【００１３】
図１０は、動きベクトル検出部１０１及び内挿フレーム生成部１０２による内挿フレーム生成処理について説明するための図である。動きベクトル検出部１０１は、図１２に示した例えばフレーム＃１とフレーム＃２から勾配法等により動きベクトル１０５を検出する。すなわち、動きベクトル検出部１０１は、フレーム＃１とフレーム＃２の１／６０秒間に、どの方向にどれだけ動いたかを測定することにより動きベクトル１０５を求める。
【００１４】
次に、内挿フレーム生成部１０２は、求めた動きベクトル１０５を用いて、フレーム＃１とフレーム＃２間に内挿ベクトル１０６を割り付ける。この内挿ベクトル１０６に基づいてフレーム＃１の位置から１／１２０秒後の位置まで対象（ここでは自動車）を動かすことにより、内挿フレーム１０７を生成する。
【００１５】
このように、動きベクトル情報を用いて動き補償フレーム内挿処理を行い、表示フレーム周波数を上げることで、ＬＣＤ（ホールド型表示方式）の表示状態を、ＣＲＴ（インパルス型表示方式）の表示状態に近づけることができ、動画表示の際に生じる動きぼけによる画質劣化を改善することが可能となる。
【００１６】
ここで、上記動き補償フレーム内挿処理においては、動き補正のために動きベクトルの検出が不可欠となる。この動きベクトル検出の代表的な手法として、例えば、ブロックマッチング法、勾配法などが提案されている。これらの手法においては、連続した２つのフレーム間で各画素または小さなブロック毎に動きベクトルを検出し、検出された動きベクトルにより２つのフレーム間の内挿フレームの各画素または各小ブロックを内挿する。すなわち、２つのフレーム間の任意の位置の画像を正しく位置補正して内挿することにより、フレーム数の変換を行う。
【００１７】
一方で、テレビ放送番組等の動画像を表示させながら、ユーザによる静止画取込指示に応じて静止画を取り込み（キャプチャし）、これを動画像と同時に表示するとともに、ＨＤ、ＤＶＤ、メモリカード等の記録媒体に記録するものが提案されている（例えば、特許文献２参照）。
【００１８】
これによると、ユーザはリモートコントローラ（以下、リモコンと称す）等を用いて、視聴中の動画像の中から後でゆっくり視たい画像を静止画として取り込む指示操作を行うことにより、例えばテレビ放送に係る料理番組で出現するレシピの内容、視聴者プレゼントの宛先、或いはサッカー選手のシュートの場面等のスポーツ番組におけるハイライトシーンなどの所望の静止画を動画像と共に表示したり、その静止画を記録することが可能になる。
【特許文献１】特許第３２９５４３７号明細書
【非特許文献１】石黒秀一、栗田泰市郎、「８倍速ＣＲＴによるホールド発光型ディスプレイの動画質に関する検討」、信学技報、社団法人電子情報通信学会、ＥＩＤ９６−４（１９９６−０６）、ｐ．１９−２６
【非特許文献２】山内達郎、「テレビジョン方式変換」、テレビジョン学会誌、Ｖｏｌ．４５、Ｎｏ．１２、ｐｐ．１５３４−１５４３（１９９１）
【特許文献２】ＷＯ２００５／０６７２９１号明細書
【発明の開示】
【発明が解決しようとする課題】
【００１９】
上述したＦＲＣ回路を備えた画像表示装置において、動画像表示を視聴しながら静止画をキャプチャする機能を搭載した場合、ユーザによる静止画取込指示操作のタイミングによっては、ＦＲＣ回路で生成された内挿フレームが静止画フレームとして取り込まれ、画面表示或いは記録される可能性がある。
【００２０】
ここで、入力動画像の内容によっては、ＦＲＣ回路において動きベクトルの検出エラー、動き補正のエラーなどが発生することもあり、この場合、ＦＲＣ回路で生成された内挿画像信号にはノイズ状の歪みが出現する。このような画質の劣化が生じている内挿フレームが静止画フレームとして取り込まれ、画面表示或いは記録されたりした場合、ユーザに不快感を与えてしまうという問題があった。
【００２１】
本発明は、上記課題に鑑みてなされたものであり、動き補償型のフレームレート変換（ＦＲＣ）部を備えた画像表示装置において、ユーザの指示操作のタイミングに関わらず、常にＦＲＣ処理による画質劣化が発生していない静止画フレームを取り込み、画面表示或いは記録することが可能な画像表示装置を提供するものである。
【課題を解決するための手段】
【００２２】
本願の第１の発明は、入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、ユーザによる指示に応答して、前記レート変換手段より出力された画像信号の動画フレームあるいはフィールドから静止画フレームあるいはフィールドを取り込む静止画取込手段と、該静止画取込手段により取り込まれた静止画フレームあるいはフィールドを、前記動画フレームあるいはフィールドに対して切替或いは合成して出力する切替／合成手段とを備え、前記静止画取込手段は、前記静止画フレームあるいはフィールドとして、前記レート変換手段により生成された内挿フレームあるいは内挿フィールドを取り込むことを禁止することを特徴とする。
【００２３】
本願の第２の発明は、入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、ユーザによる指示に応答して、前記入力画像信号の動画フレームあるいはフィールドから静止画フレームあるいはフィールドを取り込む静止画取込手段と、該静止画取込手段により取り込まれた静止画フレームあるいはフィールドを、前記動画フレームあるいはフィールドに対して切替或いは合成して出力する切替／合成手段とを、前記レート変換手段の前段に備え、前記静止画取込手段により取り込まれた静止画フレームあるいはフィールドが、前記動画フレームあるいはフィールドに対して切替或いは合成された場合、全画面領域に対して、前記レート変換手段における動き補償処理を無効化することを特徴とする。
【００２５】
本願の第３の発明は、前記レート変換手段は、前記入力画像信号に含まれる連続したフレーム間あるいはフィールド間で動きベクトル情報を検出する動きベクトル検出部と、該検出した動きベクトル情報に基づいて、前記フレーム間あるいは前記フィールド間に内挿ベクトルを割り付ける内挿ベクトル割付部と、該割り付けた内挿ベクトルから内挿画像信号を生成する内挿画像生成部と、該生成した内挿画像信号を前記フレーム間あるいは前記フィールド間に内挿する画像内挿部とを有することを特徴とする。
【００２６】
本願の第４の発明は、前記静止画取込手段により取り込まれた静止画フレームあるいはフィールドが、動画フレームあるいはフィールドに対して切替或いは合成された場合、前記動きベクトル検出部で検出された動きベクトルを０ベクトルにすることにより、前記動き補償処理を無効化することを特徴とする。
【００２７】
本願の第５の発明は、前記静止画取込手段により取り込まれた静止画フレームあるいはフィールドが、動画フレームあるいはフィールドに対して切替或いは合成された場合、前記内挿ベクトル割付部で割り付けた内挿ベクトルを０ベクトルにすることにより、前記動き補償処理を無効化することを特徴とする。
【００３１】
本願の第６の発明は、入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、ユーザによる指示に応答して、前記入力画像信号の動画フレームあるいはフィールドから静止画フレームあるいはフィールドを取り込む静止画取込手段と、該静止画取込手段により取り込まれた静止画フレームあるいはフィールドを、前記動画フレームあるいはフィールドに対して切替或いは合成して出力する切替／合成手段とを、前記レート変換手段の前段に備え、前記入力画像信号のフレーム間あるいはフィールド間に、動き補償処理を施していない画像信号を挿入することにより、前記入力画像信号のフレーム数あるいはフィールド数を変換する他のレート変換手段を更に備え、前記静止画取込手段により取り込まれた静止画フレームあるいはフィールドが、動画フレームあるいはフィールドに対して切替或いは合成された場合、全画面領域に対して、前記他のレート変換手段によりフレーム数あるいはフィールド数が変換された画像信号を、前記表示パネルへ出力することを特徴とする。
【００３２】
本願の第７の発明は、前記他のレート変換手段は、前記入力画像信号のフレーム間あるいはフィールド間に、線形補間処理を施した画像信号を内挿することにより、前記入力画像信号のフレーム数あるいはフィールド数を変換するものであることを特徴とする。
【００３３】
本願の第８の発明は、入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、ユーザによる指示に応答して、前記入力画像信号の動画フレームあるいはフィールドから静止画フレームあるいはフィールドを取り込む静止画取込手段と、該静止画取込手段により取り込まれた静止画フレームあるいはフィールドを、前記動画フレームあるいはフィールドに対して切替或いは合成して出力する切替／合成手段とを、前記レート変換手段の前段に備え、前記静止画取込手段により取り込まれた静止画フレームあるいはフィールドが、動画フレームあるいはフィールドに対して切替或いは合成された場合、前記入力画像信号のフレーム数あるいはフィールド数を変換せずに、該入力画像信号を前記表示パネルへ出力することを特徴とする。
【００３５】
本願の第９の発明は、入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、ユーザによる指示に応答して、前記入力画像信号の動画フレームあるいはフィールドから静止画フレームあるいはフィールドを取り込む静止画取込手段を、前記レート変換手段の前段に備え、該静止画取込手段により取り込まれた静止画フレームあるいはフィールドを高速で読み出し、前記レート変換手段により出力された動画フレームあるいはフィールドに対して切替或いは合成して出力する切替／合成手段を、前記レート変換手段の後段に備えたことを特徴とする。
【００３６】
本願の第１０の発明は、入力画像信号のフレーム間あるいはフィールド間に、動き補償処理を施した画像信号を内挿することにより、前記入力画像信号のフレーム数あるいはフィールド数を変換して、表示パネルへ出力するレート変換手段を備えた画像表示装置であって、ユーザによる指示に応答して、前記レート変換手段より出力された動画フレームあるいはフィールドから静止画フレームあるいはフィールドを取り込む静止画取込手段と、該静止画取込手段により取り込まれた静止画フレームあるいはフィールドを、前記動画フレームあるいはフィールドに対して切替或いは合成して出力する切替／合成手段とを備え、前記静止画取込手段は、前記静止画フレームあるいはフィールドとして、必ず前記入力画像信号の原フレームあるいはフィールドを取り込むことを特徴とする。
【００３７】
本願の第１１の発明は、ユーザによる指示に応答して、前記静止画取込手段により取り込まれた静止画フレームあるいはフィールドを、記録媒体に記録する記録手段を備えたことを特徴とする。
【発明の効果】
【００３８】
本発明の画像表示装置によれば、ＦＲＣ処理による内挿フレームあるいはフィールドを静止画フレームあるいはフィールドとして取り込み、画面表示或いは記録することがないため、ユーザは常に所望する高画質の静止画を得ることが保障される。
【発明を実施するための最良の形態】
【００３９】
以下、添付図面を参照しながら本発明の好適な画像表示装置の実施の形態について詳細に説明する。なお、本発明は、フィールド信号及び内挿フィールド信号、フレーム信号及び内挿フレーム信号のいずれに対しても適用できるものであるが、両者（フィールドとフレーム）は互いに類似の関係にあるため、フレーム信号及び内挿フレーム信号を代表例として説明するものとする。
【００４０】
図１は、本発明の画像表示装置が備える動き補償型フレームレート変換部の構成例を示すブロック図で、図中、１０はフレームレート変換部（以下、ＦＲＣ部）で、該ＦＲＣ部１０は、本発明のレート変換手段に相当し、入力画像信号に含まれる２つの連続したフレーム間で動きベクトルを検出するベクトル検出部１１と、検出した動きベクトルに基づいて内挿フレーム（内挿画像）を生成するフレーム生成部１２とから構成される。なお、ベクトル検出部１１は、動きベクトル検出に反復勾配法を用いた場合の例について示すが、この反復勾配法に限定されず、ブロックマッチング法などを用いてもよい。
【００４１】
ここで、反復勾配法の特徴は、動きベクトルの検出がブロック単位で可能であるため、数種類の動き量が検出でき、また、小領域の動物体でも動きベクトルを検出することができる。また、回路構成も他の方式（ブロックマッチング法など）と比較して小規模で実現することができる。この反復勾配法では、被検出ブロックに対して、すでに検出された近傍のブロックの動きベクトルを初期偏位ベクトルとして、これを起点として勾配法の演算を繰り返す方法が用いられる。この方法によれば、勾配法の繰り返しは２回程度でほぼ正確な動き量を得ることができる。
【００４２】
図１において、ベクトル検出部１１は、入力画像信号（ＲＧＢ信号）から輝度信号（Ｙ信号）を抽出する輝度信号抽出部１１ａと、抽出したＹ信号にＬＰＦを掛けて高域部の帯域を制限するための前処理フィルタ１１ｂと、動き検出用フレームメモリ１１ｃと、初期ベクトル候補を蓄積するための初期ベクトルメモリ１１ｄと、反復勾配法を用いてフレーム間の動きベクトルを検出する動きベクトル検出部１１ｅと、検出した動きベクトルに基づいてフレーム間に内挿ベクトルを割り付ける内挿ベクトル評価部１１ｆと、を備えて構成される。
【００４３】
なお、ＦＲＣ部１０は、本発明のレート変換手段に相当し、動きベクトル検出部１１ｅは、本発明の動きベクトル検出部に相当し、内挿ベクトル評価部１１ｆは、本発明の内挿ベクトル割付部に相当する。
【００４４】
上記反復勾配法の演算は画素の微分成分を用いているため、ノイズの影響を受け易く、また、検出ブロック内の勾配の変化量が多いと演算誤差が大きくなるため、前処理フィルタ１１ｂにおいてＬＰＦをかけて高域部の帯域を制限しておく。初期ベクトルメモリ１１ｄには、初期ベクトル候補として、前々フレームで既に検出されている動きベクトル（初期ベクトル候補）を蓄積しておく。
【００４５】
動きベクトル検出部１１ｅは、初期ベクトルメモリ１１ｄに蓄積されている初期ベクトル候補の中から被検出ブロックの動きベクトルに最も近い動きベクトルを初期ベクトルとして選択する。すなわち、被検出ブロック近傍のブロックにおける既検出動きベクトル（初期ベクトル候補）の中からブロックマッチング法により初期ベクトルを選択する。そして、動きベクトル検出部１１ｅは、選択した初期ベクトルを起点として、勾配法演算によって前フレームと現フレーム間の動きベクトルを検出する。
【００４６】
内挿ベクトル評価部１１ｆは、動きベクトル検出部１１ｅにより検出された動きベクトルを評価し、その評価結果に基づいて最適な内挿ベクトルをフレーム間の内挿ブロックに割り付けて、フレーム生成部１２に出力する。
【００４７】
フレーム生成部１２は、２つの入力フレーム（前フレーム、現フレーム）を蓄積するための内挿用フレームメモリ１２ａと、この内挿用フレームメモリ１２ａからの２つの入力フレームと内挿ベクトル評価部１１ｆにより割り付けられた内挿ベクトルとに基づいて内挿フレームを生成する内挿フレーム生成部１２ｃと、入力フレーム（前フレーム、現フレーム）を蓄積するためのタイムベース変換用フレームメモリ１２ｄと、タイムベース変換用フレームメモリ１２ｄからの入力フレームに内挿フレーム生成部１２ｃからの内挿フレームを挿入して出力画像信号（ＲＧＢ信号）を生成するタイムベース変換部１２ｅと、を備えて構成される。
【００４８】
なお、内挿フレーム生成部１２ｄは、本発明の内挿画像生成部に相当し、タイムベース変換部１２ｆは、本発明の画像内挿部に相当する。
【００４９】
図２は、フレーム生成部１２による内挿フレーム生成処理の一例を説明するための図である。内挿フレーム生成部１２ｃは、内挿ブロックに割り付けられた内挿ベクトルＶを前フレーム、現フレームに伸ばして、各フレームとの交点近傍の画素を用いて内挿ブロック内の各画素を補間する。例えば、前フレームでは近傍３点よりＡ点の輝度を算出する。現フレームでは近傍３点よりＢ点の輝度を算出する。内挿フレームではＰ点の輝度をＡ点とＢ点の輝度から補間する。Ｐ点の輝度は、例えばＡ点の輝度とＢ点の輝度の平均としてもよい。
【００５０】
上記のようにして生成された内挿フレームは、タイムベース変換部１２ｆに送られる。タイムベース変換部１２ｆは、前フレーム、現フレームの間に、内挿フレームを挟み込んで、フレームレートを変換する処理を行う。このように、ＦＲＣ部１０により、入力画像信号（６０フレーム／秒）を、動き補償された出力画像信号（１２０フレーム／秒）へ変換することができ、これを表示パネルに出力することにより、動きぼけを低減して動画質を改善することが可能となる。
【００５１】
なお、ここでは、６０フレーム／秒）の入力画像信号を、１２０フレーム／秒の出力画像信号にフレームレート変換する場合について説明するが、例えば９０フレーム／秒、１８０フレーム／秒の出力画像信号を得る場合に適用しても良いことは言うまでもない。
【００５２】
本発明の画像表示装置は、図１に示したＦＲＣ部１０を備え、画面表示中の動画像から静止画を取り込む（キャプチャする）ときに、ＦＲＣ部１０により生成された内挿画像データを静止画データとして取り込まないようにすることを主たる目的とする。なお、本発明は、液晶ディスプレイ、有機ＥＬディスプレイ、電気泳動ディスプレイなどのホールド型の表示特性を有する画像表示装置全般に適用可能であるが、以下の各実施形態においては、表示パネルとして液晶表示パネルを用いた液晶表示装置に本発明を適用した場合を代表例として説明する。
【００５３】
（第１の実施形態）
本発明の第１の実施形態は、ユーザによる指示に応答して、動画フレームから静止画フレームを取り込む静止画取込部と、該静止画取込部により取り込まれた静止画フレームを動画フレームに対して切替或いは合成して出力する切替／合成部とを、ＦＲＣ部の前段に備えて、静止画取込部が常に入力画像信号の原画像フレームを静止画フレームとして取り込むように構成したものである。
【００５４】
また、この静止画取込部で取り込んだ静止画フレームを、ＦＲＣ部の前段で入力動画フレームに対して合成出力した場合、動画像と静止画像とが混在することによる動きベクトルの検出エラー、動き補正のエラー等が発生し、表示画像の画質劣化が生じる可能性があるため、このような画質劣化を防止することを目的として、全画面或いは一部画面領域に対するＦＲＣ部の動き補正処理を無効化するようにしたものである。
【００５５】
図３は、本発明の第１の実施形態に係る液晶表示装置（ここでは、液晶テレビジョン受像機）の要部構成例を示すブロック図で、液晶表示装置は、アンテナで受信されたテレビ放送電波から希望するチャンネルを選局するチューナ１３と、該チューナ１３で選局されたテレビ受信信号にデコード処理を施して所望の動画像信号を出力するデコーダ１４と、該デコーダ１４でデコードされた動画像信号のフレームレートを動き適応的に変換するＦＲＣ部１０と、液晶表示パネル１６を表示駆動するための電極駆動部１５とを備えている。
【００５６】
また、前記デコーダ１４でデコードされた動画像信号から所定のタイミングで静止画信号を取り込むフレームメモリを有する静止画取込部１７と、該静止画取込部１７で取り込まれた静止画信号をそのまま前記デコーダ１４でデコード動画像信号と切り替えて出力する、或いは縮小して前記デコーダ１４でデコードされた動画像信号に合成（スーパーインポーズ）して出力する切替／合成部１８と、前記静止画取込部１７で取り込まれた静止画信号をＨＤ、ＤＶＤ、メモリカード等の記録媒体２０に記録する記録制御部１９と、上述した各部を制御するための中央制御部（ＣＰＵ）２１とを備えている。
【００５７】
上記液晶表示パネル１６は、液晶層と該液晶層に走査信号及びデータ信号を印加するための電極とを有するアクティブマトリクス型の液晶ディスプレイである。電極駆動部１５は、ＦＲＣ部１０によりフレームレート変換された画像信号に基づいて液晶表示パネル１６の走査電極及びデータ電極を駆動するための表示ドライバである。液晶表示パネル１６の駆動周波数は、ＦＲＣ部１０により変換されたフレーム周波数となる。従って、６０Ｈｚのフレーム周波数で入力された画像信号が、ＦＲＣ部１０で１２０Ｈｚのフレーム周波数に変換された場合、液晶表示パネル１６の駆動周波数は１２０Ｈｚとなる。
【００５８】
中央制御部２１は、ユーザによる静止画表示指示を受けて、静止画取込部１７に静止画フレームの取り込みを指示するとともに、この静止画フレームを６０Ｈｚのフレーム周波数で読み出し、入力動画フレームに対して切替或いは合成するよう切替／合成部１８に指示する。またこの場合、ＦＲＣ部１０における動き補正処理を無効化するように制御する。さらに、ユーザによる静止画記録指示を受けて、静止画取込部１７に取り込まれた静止画フレームを記録媒体２０に記録するよう記録制御部１９に指示する。
【００５９】
また、ユーザはリモコン（図示せず）を用いて当該表示装置に対する各種の制御指示操作を行うことが可能となっている。このリモコンには、例えば静止画表示の指示を行うための「静止キー」、静止画記録を指示するための「記録キー」、各種指示操作前の状態に戻すための「戻るキー」などが設けられている。
【００６０】
本実施形態における静止画キャプチャ動作について、図４及び図５とともに説明する。図４のフローチャートにおいて、通常の動画像表示時にユーザによってリモコンの「静止キー」が押下操作されたことを検出する（ステップ１）と、中央制御部２１はデコーダ１４より出力された動画フレームから静止画フレームを取り込むように静止画取込部１７を制御する（ステップ２）。また、静止画取込部１７に取り込まれた静止画フレームを６０Ｈｚのフレーム周波数で読み出し、デコーダ１４より出力された動画フレームに対して切替或いは合成して出力するよう切替／合成部１８を制御する。
【００６１】
ここで、図５（ａ）は通常の動画像表示時の表示画面を示しており、全画面に受信中のテレビ放送番組に係る動画像が表示されている。そして、静止画取込部１７に取り込まれた静止画を動画像に切り替えて表示出力する場合、図５（ｂ）に示すように、静止画が全画面表示される。また、静止画取込部１７に取り込まれた静止画を動画像に合成して表示出力する場合、図５（ｃ）に示すように、静止画を子画面として動画像の一部領域にピクチャー・イン・ピクチャー表示するか、或いは、図５（ｄ）に示すように、静止画と動画像とをそれぞれ分割画面として同時に並べてピクチャー・アウト・ピクチャー表示する。
【００６２】
次に、図４のフローチャートにおいて、上記ステップ３で画面表示された静止画を確認したユーザによりリモコンの「記録キー」が押下操作されたか否かを検出し（ステップ４）、「記録キー」の押下操作が検出された場合、中央制御部２１は静止画取込部１７に取り込まれた静止画フレームデータを記録媒体２０に記録するよう記録制御部１９に指示を行い（ステップ５）、その後、静止画表示を解除して、通常の動画像表示に戻るように切替／合成部１８を制御する（ステップ６）。
【００６３】
また、「記録キー」の押下操作が検出されず、リモコンの「戻るキー」の押下操作を検出する（ステップ７）と、中央制御部２１はそのまま静止画表示を解除して、通常の動画像表示に戻るように切替／合成部１８を制御する（ステップ６）。
【００６４】
これによって、静止画取込部１７には必ず入力原画像フレームが静止画フレームとして取り込まれることとなるが、この静止画フレームを入力原画像フレームの一部に合成してから、ＦＲＣ部１０に入力した場合、動画像画面と静止画像画面の境界部分で動きベクトルの検出エラー、動き補正のエラー等が発生し、表示画像に画質劣化が生じる恐れがある。このため、本実施形態では、少なくとも静止画が合成されている画素あるいは該画素を含む画面領域に対するＦＲＣ部１０の動き補正処理を無効化する。
【００６５】
具体的には、以下のような手段を講じることで、ＦＲＣ部の動き補正処理を無効化することができる。すなわち、（１）全画面領域に対してＦＲＣ部１０の動き補正処理を無効化する場合、ＦＲＣ部１０内の動きベクトル検出部１１ｅと内挿ベクトル評価部１１ｆの間に切替スイッチを設け、中央制御部２１からの指示に従って、動きベクトル検出部１１ｅからの動きベクトルを０ベクトルへ切り替える構成とし、切替／合成部１８により静止画が合成された場合、上記切替スイッチを０ベクトル側に切り替えて、動きベクトル検出部１１ｅで検出された動きベクトルを強制的に０ベクトルに置き換えることにより、全画面領域に対するＦＲＣ部１０の動き補正処理を無効化することができる。
【００６６】
（２）あるいは、ＦＲＣ部１０内の内挿ベクトル評価部１１ｆと内挿フレーム生成部１２ｄの間に切替スイッチを設け、中央制御部２１からの指示に従って、内挿ベクトル評価部１１ｆからの内挿ベクトルを０ベクトルへ切り替える構成とし、切替／合成部１８により静止画が合成された場合、上記切替スイッチを０ベクトル側に切り替えて、内挿ベクトル評価部１１ｆで割り付けられた内挿ベクトルを強制的に０ベクトルに置き換えることにより、全画面領域に対するＦＲＣ部１０の動き補正処理を無効化することができる。
【００６７】
（３）静止画の表示画面領域を含む一部画面領域に対してＦＲＣ部１０の動き補正処理を無効化する場合、中央制御部２１からの指示に従って、静止画が合成されている画素あるいは該画素を含む画面領域における内挿ブロックの内挿ベクトルを０ベクトルにすることにより、該内挿ブロックの各画素に対して、前記動き補正処理を無効化することができる。
【００６８】
このように、通常の動画像表示時においては動き補償型のＦＲＣ処理により動画質を改善することができるとともに、動画像に静止画が合成された場合に、動き補正処理を無効化することにより、動画像と静止画像とが混在することによる動きベクトルの検出エラー、動き補正のエラー等をなくし、動き補償型のＦＲＣ処理に起因する静止画合成部分の画質劣化を効果的に防止することができる。
【００６９】
以上詳述したとおり、本実施形態によれば、ＦＲＣ処理により生成される内挿フレームを静止画フレームとして取り込むことを回避し、静止画フレームとして必ず前記入力画像信号の原フレームを取り込み、画面表示或いは記録する構成としているので、ユーザは常に所望する高画質の静止画を得ることが保障される。
【００７０】
尚、上記実施形態においては、動画像に対して静止画が切替／合成された場合に、画面全体或いは一部領域に対するＦＲＣ部１０内の動き補正処理を無効化しているが、これに限らず、例えば以下のような手段を講じて、ＦＲＣ部１０を迂回するようにしてもよい（静止画表示を行う場合は、動き補償型のＦＲＣ処理は不要なため）。
【００７１】
すなわち、（１）入力画像信号のフレーム間に、動き補正処理を施していない画像信号を挿入することにより、前記入力画像信号のフレーム数あるいはフィールド数を変換する他のレート変換部を更に備え、前記静止画取込部１７により取り込まれた静止画フレームが動画フレームに対して切替或いは合成された場合、前記他のレート変換部によりフレーム数が変換された画像信号を、液晶表示パネル１６へ出力する構成としてもよい。
【００７２】
例えば、動画像に対して静止画が切替／合成された場合には、全画面領域或いは静止画フレームが合成されている画素あるいは該画素を含む領域に対して、動き補償によるフレーム内挿処理を行う代わりに、例えば線形補間内挿処理（前述の非特許文献２参照）などを施してフレームレート変換を行い、電極駆動部１５に出力することにより、動画像と静止画像とが混在することによる動きベクトルの検出エラー、動き補正のエラー等をなくし、動き補償型のＦＲＣ処理に起因する静止画表示部分の画質劣化を防止することができる。
【００７３】
（２）また、動画像に対して静止画が切替／合成された場合には、フレームレート変換自体を禁止して、静止画が合成された動画像信号をそのまま液晶表示パネル１６に表示出力するように切り替える構成としてもよい。この場合、入力画像信号のフレーム周波数（６０Ｈｚ）に合わせて液晶表示パネル１６の駆動周波数を変更するような構成としてもよい。
【００７４】
ここで、中央制御部２１は、表示ドライバである電極駆動部１５を制御して、液晶表示パネル１６の駆動周波数を１２０Ｈｚから６０Ｈｚに変更し、上記静止画が合成された動画像信号を、６０Ｈｚのままフレームレート変換せずに表示出力する。これによって、動画像と静止画像とが混在することによる動きベクトルの検出エラー、動き補正のエラー等をなくし、動き補償型のＦＲＣ処理に起因する静止画表示部分の画質劣化を効果的に防止することができる。
（第２の実施形態）
本発明の第２の実施形態は、上記第１の実施形態のように、ＦＲＣ部１０における動き補正処理を無効化することなく、動画像に静止画が合成された場合の画質劣化を防止することを目的としたものであり、ユーザによる指示に応答して、動画フレームから静止画フレームを取り込む静止画取込部を、ＦＲＣ部の前段に備えるとともに、該静止画取込部により取り込まれた静止画フレームを動画フレームに対して切替或いは合成して出力する切替／合成部を、ＦＲＣ部の後段に備えることにより、静止画取込部が常に入力画像信号の原画像フレームを静止画フレームとして取り込むように構成したものである。
【００７５】
尚、以下の説明において、上記第１の実施形態と同一機能部分には同一符号を付し、その詳細な説明は省略する。
【００７６】
図６は、本発明の第２の実施形態に係る液晶表示装置（ここでは、液晶テレビジョン受像機）の要部構成例を示すブロック図で、液晶表示装置は、アンテナで受信されたテレビ放送電波から希望するチャンネルを選局するチューナ１３と、該チューナ１３で選局されたテレビ受信信号にデコード処理を施して所望の動画像信号を出力するデコーダ１４と、該デコーダ１４でデコードされた動画像信号のフレームレートを動き適応的に変換するＦＲＣ部１０と、液晶表示パネル１６を表示駆動するための電極駆動部１５とを備えている。
【００７７】
また、前記デコーダ１４でデコードされた動画像信号から所定のタイミングで静止画信号を取り込むメモリを有する静止画取込部１７と、該静止画取込部１７で取り込まれた静止画信号をそのまま前記ＦＲＣ部１０でフレームレート変換された動画像信号と切り替えて出力する、或いは縮小して前記ＦＲＣ部１０でフレームレート変換された動画像信号に合成（スーパーインポーズ）して出力する切替／合成部１８と、前記静止画取込部１７で取り込まれた静止画信号をＨＤ、ＤＶＤ、メモリカード等の記録媒体２０に記録する記録制御部１９と、上述した各部を制御するための中央制御部（ＣＰＵ）２１とを備えている。
【００７８】
中央制御部２１は、ユーザによる静止画表示指示を受けて、静止画取込部１７に静止画フレームの取り込みを指示するとともに、この静止画フレームを１２０Ｈｚのフレーム周波数で読み出し、ＦＲＣ部１０より出力された動画フレームに対して切替或いは合成するよう切替／合成部１８に指示する。さらに、ユーザによる静止画記録指示を受けて、静止画取込部１７に取り込まれた静止画フレームを記録媒体２０に記録するよう記録制御部１９に指示する。
【００７９】
これにより、本実施形態においても、静止画取込部１７には必ず入力原画像フレームが静止画フレームとして取り込まれることとなり、さらに、この静止画フレームをＦＲＣ部１０でフレームレート変換された動画フレームに切替／合成しているので、静止画フレームを静止画取込部１７より読み出して切替／合成する際、ＦＲＣ部１０で増加したフレームレートの割合だけ高速なクロック動作を行う必要が生じるが、動画像と静止画像とが混在する画面領域においてＦＲＣ処理に起因する画質劣化は発生しない。
【００８０】
以上のとおり、本実施形態によれば、ＦＲＣ処理による内挿フレームを静止画フレームとして取り込むことを回避し、静止画フレームとして必ず前記入力画像信号の原フレームを取り込み、画面表示或いは記録する構成としているので、ユーザは常に所望する高画質の静止画を得ることが保障される。また、上記第１の実施形態のように、動き適応型のＦＲＣ部１０における動き補正処理を無効化する処理等を不要とすることが可能である。
【００８１】
尚、上記実施形態においては、デコーダ１４とＦＲＣ部１０とを結ぶ経路上から静止画フレームを取り込む構成としているが、これに限らず、ＦＲＣ部１０のタイムベース変換部１２ｅより前で静止画フレームを取り込むように構成すればよいことは明らかである。
【００８２】
例えば、ＦＲＣ部１０の内部に設けられた内挿フレームメモリ１２ａ或いはタイムベース変換用フレームメモリｄに格納されている動画フレームを静止画フレームを取り込むように構成してもよい。この場合、図２に示した前フレームと現フレームとのうち、前フレームを静止画フレームとして取り込むようにすることによって、よりユーザの所望するタイミングの静止画を得ることが可能となる。
（第３の実施形態）
本発明の第３の実施形態は、ユーザによる指示に応答して、動画フレームから静止画フレームを取り込む静止画取込部を、ＦＲＣ部の後段に設けるが、該静止画フレームとしてＦＲＣ部により生成された内挿フレームを取り込むことを禁止するように構成し、静止画取込部が常に入力画像信号の原画像フレームを静止画フレームとして取り込むように構成したものである。
【００８３】
尚、以下の説明において、上記第１、２の実施形態と同一機能部分には同一符号を付し、その詳細な説明は省略する。
【００８４】
図７は、本発明の第３の実施形態に係る液晶表示装置（ここでは、液晶テレビジョン受像機）の要部構成例を示すブロック図で、液晶表示装置は、アンテナで受信されたテレビ放送電波から希望するチャンネルを選局するチューナ１３と、該チューナ１３で選局されたテレビ受信信号にデコード処理を施して所望の動画像信号を出力するデコーダ１４と、該デコーダ１４でデコードされた動画像信号のフレームレートを動き適応的に変換するＦＲＣ部１０と、液晶表示パネル１６を表示駆動するための電極駆動部１５とを備えている。
【００８５】
また、前記ＦＲＣ部１０でフレームレート変換された動画像信号から所定のタイミングで静止画信号を取り込むメモリを有する静止画取込部１７と、該静止画取込部１７で取り込まれた静止画信号をそのまま前記ＦＲＣ部１０でフレームレート変換された動画像信号と切り替えて出力する、或いは縮小して前記ＦＲＣ部１０でフレームレート変換された動画像信号に合成（スーパーインポーズ）して出力する切替／合成部１８と、前記静止画取込部１７で取り込まれた静止画信号をＨＤ、ＤＶＤ、メモリカード等の記録媒体２０に記録する記録制御部１９と、上述した各部を制御するための中央制御部（ＣＰＵ）２１とを備えている。
【００８６】
中央制御部２１は、ユーザによる静止画表示指示を受けて、静止画取込部１７に静止画フレームの取り込みを指示するとともに、この静止画フレームを１２０Ｈｚのフレーム周波数で読み出し、ＦＲＣ部１０より出力された動画フレームに対して切替或いは合成するよう切替／合成部１８に指示する。さらに、ユーザによる静止画記録指示を受けて、静止画取込部１７に取り込まれた静止画フレームを記録媒体２０に記録するよう記録制御部１９に指示する。
【００８７】
ここで、本実施形態のＦＲＣ部１０では、内挿フレーム生成部１２ｃで生成された内挿フレームとタイムベース変換用フレームメモリ１２ｄより読み出された入力原画像フレームとを区別するフラグを各フレームに付加しておき、静止画取込部１７では、このフラグを参照して、内挿フレームが取り込まれるのを禁止して、常に入力原画像フレームが取り込まれるようにしている。
【００８８】
これにより、本実施形態において、ＦＲＣ部１０の後段に設けられた静止画取込部１７であっても、必ず入力原画像フレームが静止画フレームとして取り込まれることとなり、また、この静止画フレームをＦＲＣ部１０でフレームレート変換された動画フレームに切替／合成しているので、動画像と静止画像とが混在する画面領域においてＦＲＣ処理に起因する画質劣化は発生しない。
【００８９】
以上のとおり、本実施形態によれば、ＦＲＣ処理により生成された内挿フレームを静止画フレームとして取り込むことを禁止し、静止画フレームとして必ず入力画像信号の原フレームを取り込み、画面表示或いは記録する構成としているので、ユーザは常に所望する高画質の静止画を得ることが保障される。また、上記第１の実施形態のように、動き適応型のＦＲＣ部１０における動き補正処理を無効化する処理等を不要とすることも可能である。
【００９０】
尚、上述した第１乃至第３の各実施形態においては、ユーザによる静止画表示或いは記録の指示がリモコンのキーを押下することによってなされるものについて説明したが、本発明はこれに限らず、装置本体に設けられた操作部を操作することによって静止画表示或いは記録の指示を行うものであってもよい。また、本発明は、テレビジョン受像機に限らず、パソコンモニターや携帯電話機等の各種電子機器に適用可能であることは言うまでもない。
【図面の簡単な説明】
【００９１】
【図１】本発明の画像表示装置が備えるフレームレート変換部の構成例を示すブロック図である。
【図２】フレーム生成部による内挿フレーム生成処理の一例を説明するための説明図である。
【図３】本発明の第１の実施形態における要部概略構成を示すブロック図である。
【図４】本発明の静止画キャプチャ動作を示すフローチャートである。
【図５】画面表示例を説明するための説明図である。
【図６】本発明の第２の実施形態における要部概略構成を示すブロック図である。
【図７】本発明の第３の実施形態における制御動作を示すフローチャートである。
【図８】従来の液晶表示装置におけるＦＲＣ駆動表示回路の概略構成を示すブロック図である。
【図９】図８に示した従来のＦＲＣ駆動表示回路によるフレームレート変換処理を説明するための説明図である。
【図１０】動きベクトル検出部及び内挿フレーム生成部による内挿フレーム生成処理について説明するための説明図である。
【符号の説明】
【００９２】
１０，１００…フレームレート変換（ＦＲＣ）部
１１…ベクトル検出部
１１ａ…輝度信号抽出部
１１ｂ…前処理フィルタ
１１ｃ…動き検出用フレームメモリ
１１ｄ…初期ベクトルメモリ
１１ｅ，１０１…動きベクトル検出部
１１ｆ…内挿ベクトル評価部
１２…フレーム生成部
１２ａ…内挿用フレームメモリ
１２ｂ…内挿ベクトルメモリ
１２ｃ，１０２…内挿フレーム生成部
１２ｄ…タイムベース変換用フレームメモリ
１２ｅ…タイムベース変換部
１３…チューナ
１４…デコーダ
１５…電極駆動部
１６…液晶表示パネル
１７…静止画取込部
１８…切替／合成部
１９…記録制御部
２０…記録媒体
２１…中央制御部（ＣＰＵ）
【図１】
0004722672.tif 000002
【図２】
0004722672.tif 000003
【図３】
0004722672.tif 000004
【図４】
0004722672.tif 000005
【図５】
0004722672.tif 000006
【図６】
0004722672.tif 000007
【図７】
0004722672.tif 000008
【図８】
0004722672.tif 000009
【図９】
0004722672.tif 000010
【図１０】
0004722672.tif 000011